(57)【要約】【課題】  録画番組をダイジェストで再生する際、実際の放送時に視聴者が盛り上がっていたシーンを確実に視聴することを可能にする遠隔操作装置を提供する。【解決手段】  携帯端末装置１０は、録画番組のリストを取得する録画番組リスト取得部３１と、録画番組リスト画面Ｒ１を表示部２１に表示させる画面生成部３２と、ダイジェスト再生対象の録画番組のデータを取得する録画番組データ取得部３３と、ダイジェスト再生時間を取得するダイジェスト再生時間取得部３４と、ダイジェスト再生対象の録画番組の時系列盛り上がり度のデータをサーバ装置５０から取得する盛り上がりデータ取得部３５と、ダイジェスト再生対象の録画番組から、盛り上がり度の高いシーンをダイジェスト再生時間以内で抽出するプレイリスト生成部３６と、プレイリスト４０に従ってダイジェスト再生対象の録画番組をダイジェストで再生させる再生指示部３８とを備える。【選択図】      図１４
2014035783.tif 000002
【特許請求の範囲】
【請求項１】
動画コンテンツを記録する記録部を有し、記録部に記録された動画コンテンツを再生する録画再生装置を遠隔操作する遠隔操作装置であって、
前記録画再生装置の記録部に記録されている動画コンテンツのコンテンツ情報を取得するコンテンツ情報取得部と、
前記コンテンツ情報取得部によって取得されたコンテンツ情報に基づいて、前記録画再生装置の記録部に記録されている動画コンテンツのリストを表示するコンテンツリスト表示部と、
前記コンテンツリスト表示部によってリスト表示された動画コンテンツの中から、１または複数の動画コンテンツを選択するコンテンツ選択部と、
前記コンテンツ選択部によって選択された動画コンテンツを、ダイジェストで再生するときの再生時間を設定する再生時間設定部と、
前記コンテンツ選択部によって選択された動画コンテンツについて、該動画コンテンツの進行に伴う時系列の盛り上がり度を示す時系列盛り上がり情報を、通信ネットワークを介して予め定める外部の装置から取得する盛り上がり情報取得部と、
前記時系列盛り上がり情報に基づいて、前記コンテンツ選択部によって選択された動画コンテンツから、盛り上がり度の高いシーンを、前記再生時間以内で抽出するシーン抽出部と、
前記シーン抽出部によって抽出されたシーンをダイジェストで再生させるための指令を、無線信号によって出力するダイジェスト再生指示部とを備えることを特徴とする遠隔操作装置。
【請求項２】
前記シーン抽出部は、前記コンテンツ選択部によって選択された動画コンテンツが複数である場合、前記再生時間設定部によって設定された再生時間を、前記コンテンツ選択部によって選択された動画コンテンツの数で除した時間だけ、各動画コンテンツについて、前記盛り上がり度の高いシーンを抽出することを特徴とする請求項１記載の遠隔操作装置。
【請求項３】
前記シーン抽出部は、前記コンテンツ選択部によって選択された動画コンテンツが複数である場合、抽出されるシーンの再生時間の総計が、前記再生時間設定部によって設定された再生時間に一致するように、各動画コンテンツに共通した盛り上がり度の閾値を求め、各動画コンテンツについて、前記閾値以上の盛り上がり度を有するシーンを抽出することを特徴とする請求項１記載の遠隔操作装置。
【請求項４】
前記シーン抽出部は、前記コンテンツ選択部によって選択された動画コンテンツが複数である場合、各動画コンテンツの再生時間の比が予め定める比となるように、動画コンテンツごとに盛り上がり度の閾値を求め、各動画コンテンツについて、対応する閾値以上の盛り上がり度を有するシーンを抽出することを特徴とする請求項１記載の遠隔操作装置。
【請求項５】
動画コンテンツを記録する記録部を有し、記録部に記録された動画コンテンツを再生する録画再生装置であって、
前記記録部に記録されている動画コンテンツのリストを表示するコンテンツリスト表示部と、
前記コンテンツリスト表示部によってリスト表示された動画コンテンツの中から、１または複数の動画コンテンツを選択するコンテンツ選択部と、
前記コンテンツ選択部によって選択された動画コンテンツを、ダイジェストで再生するときの再生時間を設定する再生時間設定部と、
前記コンテンツ選択部によって選択された動画コンテンツについて、該動画コンテンツの進行に伴う時系列の盛り上がり度を示す時系列盛り上がり情報を、通信ネットワークを介して予め定める外部の装置から取得する盛り上がり情報取得部と、
前記時系列盛り上がり情報に基づいて、前記コンテンツ選択部によって選択された動画コンテンツから、盛り上がり度の高いシーンを、前記再生時間以内で抽出するシーン抽出部と、
前記シーン抽出部によって抽出されたシーンをダイジェストで再生するダイジェスト再生部とを備えることを特徴とする録画再生装置。
【請求項６】
前記シーン抽出部は、前記コンテンツ選択部によって選択された動画コンテンツが複数である場合、前記再生時間設定部によって設定された再生時間を、前記コンテンツ選択部によって選択された動画コンテンツの数で除した時間だけ、各動画コンテンツについて、前記盛り上がり度の高いシーンを抽出することを特徴とする請求項５記載の録画再生装置。
【請求項７】
前記シーン抽出部は、前記コンテンツ選択部によって選択された動画コンテンツが複数である場合、抽出されるシーンの再生時間の総計が、前記再生時間設定部によって設定された再生時間に一致するように、各動画コンテンツに共通した盛り上がり度の閾値を求め、各動画コンテンツについて、前記閾値以上の盛り上がり度を有するシーンを抽出することを特徴とする請求項５記載の録画再生装置。
【請求項８】
前記シーン抽出部は、前記コンテンツ選択部によって選択された動画コンテンツが複数である場合、各動画コンテンツの再生時間の比が予め定める比となるように、動画コンテンツごとに盛り上がり度の閾値を求め、各動画コンテンツについて、対応する閾値以上の盛り上がり度を有するシーンを抽出することを特徴とする請求項５記載の録画再生装置。
【請求項９】
コンピュータを、請求項１〜４のいずれか１つに記載の遠隔操作装置として機能させるためのプログラム。
【請求項１０】
請求項９に記載のプログラムを記録したコンピュータ読取可能な記録媒体。
【発明の詳細な説明】
【技術分野】
【０００１】
本発明は、遠隔操作装置、録画再生装置、プログラムおよび記録媒体に関する。
【背景技術】
【０００２】
近年、選局可能な各放送チャンネルによって放送されている全てのテレビ番組（たとえば、地上波で放送されている選局可能な全てのテレビ番組）を録画する、いわゆる「全録」機能を有する録画再生装置が普及している。ユーザは、このような録画再生装置を利用することで、各放送チャンネルで放送されたテレビ番組をとりあえず録画しておいて、後から、録画したテレビ番組の中から視聴したいテレビ番組を選択して視聴するということが可能になっている。
【０００３】
しかしながら、一方で、ユーザにとっては、テレビ番組を視聴する時間には限りがあるため、このように多くのテレビ番組が録画再生装置に蓄積されていくと、視聴したいと思っている全てのテレビ番組を視聴することが困難な状況になりがちである。
【０００４】
そこで、こういった状況を解消するために、録画再生装置に蓄積されているテレビ番組をユーザが視聴する際、そのテレビ番組のハイライトシーンをダイジェスト再生させる技術が、たとえば特許文献１に開示されている。
【先行技術文献】
【特許文献】
【０００５】
【特許文献１】特開２００８−４１７０号公報
【発明の概要】
【発明が解決しようとする課題】
【０００６】
上記特許文献１に開示される技術によれば、録画されたテレビ番組からハイライトシーンを抽出する際、所定の音量以上の部分を、ハイライトシーンとして抽出するように構成されている。しかしながら、このような方法でハイライトシーンを抽出してしまうと、視聴者が実際に盛り上がっているシーンを確実に抽出することができず、ユーザは、ダイジェスト再生を利用することで、実際に盛り上がっているシーンを見逃してしまうおそれがあるという問題がある。
【０００７】
本発明の目的は、録画再生装置に録画されているテレビ番組をダイジェストで再生する際に、実際の放送時に、視聴者が盛り上がっていたシーンを確実に視聴することを可能にする遠隔操作装置、録画再生装置、プログラムおよび記録媒体を提供することである。
【課題を解決するための手段】
【０００８】
本発明は、動画コンテンツを記録する記録部を有し、記録部に記録された動画コンテンツを再生する録画再生装置を遠隔操作する遠隔操作装置であって、
前記録画再生装置の記録部に記録されている動画コンテンツのコンテンツ情報を取得するコンテンツ情報取得部と、
前記コンテンツ情報取得部によって取得されたコンテンツ情報に基づいて、前記録画再生装置の記録部に記録されている動画コンテンツのリストを表示するコンテンツリスト表示部と、
前記コンテンツリスト表示部によってリスト表示された動画コンテンツの中から、１または複数の動画コンテンツを選択するコンテンツ選択部と、
前記コンテンツ選択部によって選択された動画コンテンツを、ダイジェストで再生するときの再生時間を設定する再生時間設定部と、
前記コンテンツ選択部によって選択された動画コンテンツについて、該動画コンテンツの進行に伴う時系列の盛り上がり度を示す時系列盛り上がり情報を、通信ネットワークを介して予め定める外部の装置から取得する盛り上がり情報取得部と、
前記時系列盛り上がり情報に基づいて、前記コンテンツ選択部によって選択された動画コンテンツから、盛り上がり度の高いシーンを、前記再生時間以内で抽出するシーン抽出部と、
前記シーン抽出部によって抽出されたシーンをダイジェストで再生させるための指令を、無線信号によって出力するダイジェスト再生指示部とを備えることを特徴とする遠隔操作装置である。
【０００９】
また本発明は、前記シーン抽出部は、前記コンテンツ選択部によって選択された動画コンテンツが複数である場合、前記再生時間設定部によって設定された再生時間を、前記コンテンツ選択部によって選択された動画コンテンツの数で除した時間だけ、各動画コンテンツについて、前記盛り上がり度の高いシーンを抽出することを特徴とする。
【００１０】
また本発明は、前記シーン抽出部は、前記コンテンツ選択部によって選択された動画コンテンツが複数である場合、抽出されるシーンの再生時間の総計が、前記再生時間設定部によって設定された再生時間に一致するように、各動画コンテンツに共通した盛り上がり度の閾値を求め、各動画コンテンツについて、前記閾値以上の盛り上がり度を有するシーンを抽出することを特徴とする。
【００１１】
また本発明は、前記シーン抽出部は、前記コンテンツ選択部によって選択された動画コンテンツが複数である場合、各動画コンテンツの再生時間の比が予め定める比となるように、動画コンテンツごとに盛り上がり度の閾値を求め、各動画コンテンツについて、対応する閾値以上の盛り上がり度を有するシーンを抽出することを特徴とする。
【００１２】
また本発明は、動画コンテンツを記録する記録部を有し、記録部に記録された動画コンテンツを再生する録画再生装置であって、
前記記録部に記録されている動画コンテンツのリストを表示するコンテンツリスト表示部と、
前記コンテンツリスト表示部によってリスト表示された動画コンテンツの中から、１または複数の動画コンテンツを選択するコンテンツ選択部と、
前記コンテンツ選択部によって選択された動画コンテンツを、ダイジェストで再生するときの再生時間を設定する再生時間設定部と、
前記コンテンツ選択部によって選択された動画コンテンツについて、該動画コンテンツの進行に伴う時系列の盛り上がり度を示す時系列盛り上がり情報を、通信ネットワークを介して予め定める外部の装置から取得する盛り上がり情報取得部と、
前記時系列盛り上がり情報に基づいて、前記コンテンツ選択部によって選択された動画コンテンツから、盛り上がり度の高いシーンを、前記再生時間以内で抽出するシーン抽出部と、
前記シーン抽出部によって抽出されたシーンをダイジェストで再生するダイジェスト再生部とを備えることを特徴とする録画再生装置である。
【００１３】
また本発明は、前記シーン抽出部は、前記コンテンツ選択部によって選択された動画コンテンツが複数である場合、前記再生時間設定部によって設定された再生時間を、前記コンテンツ選択部によって選択された動画コンテンツの数で除した時間だけ、各動画コンテンツについて、前記盛り上がり度の高いシーンを抽出することを特徴とする。
【００１４】
また本発明は、前記シーン抽出部は、前記コンテンツ選択部によって選択された動画コンテンツが複数である場合、抽出されるシーンの再生時間の総計が、前記再生時間設定部によって設定された再生時間に一致するように、各動画コンテンツに共通した盛り上がり度の閾値を求め、各動画コンテンツについて、前記閾値以上の盛り上がり度を有するシーンを抽出することを特徴とする。
【００１５】
また本発明は、前記シーン抽出部は、前記コンテンツ選択部によって選択された動画コンテンツが複数である場合、各動画コンテンツの再生時間の比が予め定める比となるように、動画コンテンツごとに盛り上がり度の閾値を求め、各動画コンテンツについて、対応する閾値以上の盛り上がり度を有するシーンを抽出することを特徴とする。
【００１６】
また本発明は、コンピュータを、前記遠隔操作装置として機能させるためのプログラムである。
また本発明は、前記プログラムを記録したコンピュータ読取可能な記録媒体である。
【発明の効果】
【００１７】
本発明によれば、動画コンテンツの進行に伴う時系列の盛り上がり度を示す時系列盛り上がり情報に基づいて、ダイジェスト再生のための動画コンテンツから、盛り上がり度の高いシーンが、ユーザによって設定された再生時間内で抽出されて再生されるので、録画されているテレビ番組をダイジェストで再生する場合であっても、ユーザは、実際の放送時に、視聴者が盛り上がっていたシーンを確実に視聴することができる。
【図面の簡単な説明】
【００１８】
【図１】本発明の一実施形態に係る携帯端末装置１０を含んだシステム全体の構成の一例を概略的に示す概略構成図である。
【図２】サーバ装置５０の概略的な構成を示すブロック図である。
【図３】サーバ装置５０において、制御部５５が盛り上がり度導出プログラム５６を実行することによって実現される各種の機能を示す機能ブロック図である。
【図４】サーバ装置５０の記憶部５４に設けられているミニブログテーブル７１の一例を示す図である。
【図５】サーバ装置５０の記憶部５４に設けられているキーワードテーブル７２の一例を示す図である。
【図６】サーバ装置５０の記憶部５４に設けられている放送局別ミニブログテーブル７３の一例を示す図である。
【図７】サーバ装置５０の記憶部５４に設けられている時系列盛り上がり度テーブル７４の一例を示す図である。
【図８】サーバ装置５０の記憶部５４に設けられている盛り上がりデータテーブル７５の一例を示す図である。
【図９】レコーダ１の概略的な構成を示すブロック図である。
【図１０】レコーダ１の半導体メモリ８７に設けられている録画番組リスト９０の一例を示す図である。
【図１１】レコーダ１において、制御部８８がダイジェスト再生プログラム８９を実行することによって実現される各種の機能を示す機能ブロック図である。
【図１２】本発明の一実施形態に係る携帯端末装置１０の外観を示す平面図である。
【図１３】本発明の一実施形態に係る携帯端末装置１０の概略的な構成を示すブロック図である。
【図１４】本発明の一実施形態に係る携帯端末装置１０において、制御部１９がリモコンプログラム２６を実行することによって実現される各種の機能を示す機能ブロック図である。
【図１５】リモコンプログラム２６の実行に伴って表示面２１ａに表示される録画番組リスト画面Ｒ１の一例を示す図である。
【図１６】録画番組リスト画面Ｒ１における「ダイジェスト再生」ボタンｒ１４のタップ操作に伴って表示面２１ａに表示される視聴時間設定画面Ｒ２の一例を示す図である。
【図１７】３つの再生パターンについて説明するための図である。
【図１８】プレイリスト生成部３６によって作成されるプレイリスト４０の一例を示す図である。
【図１９】視聴時間設定画面Ｒ２における「実行」ボタンｒ２４のタップ操作に伴って表示面２１ａに表示される再生パターン選択画面Ｒ３の一例を示す図である。
【図２０】携帯端末装置１０においてリモコンプログラム２６の実行に伴って行われるダイジェスト再生処理の処理手順を示すフローチャートである。
【図２１】シーン抽出対象の録画番組の１分毎の盛り上がり度の推移を示すグラフＧである。
【図２２】本発明の一実施形態に係るレコーダ１Ａを含んだシステム全体の構成の一例を概略的に示す概略構成図である。
【図２３】本発明の一実施形態に係るレコーダ１Ａにおいて、制御部８８がダイジェスト再生プログラム８９を実行することによって実現される各種の機能を示す機能ブロック図である。
【発明を実施するための形態】
【００１９】
図１は、本発明の一実施形態に係る携帯端末装置１０を含んだシステム全体の構成の一例を概略的に示す概略構成図である。本実施形態に係る携帯端末装置１０は、テレビジョン受像機（以下、「ＴＶ受像機」と略記する）２にＨＤＭＩ（High-Definition Multimedia Interface）ケーブルなどを介して接続され、テレビジョン放送によって送られる動画コンテンツ（以下、「テレビ番組」と称する）を録画し、録画したテレビ番組をＴＶ受像機２にて再生する機能を備えた録画再生装置（以下、「レコーダ」と称する）１を遠隔操作するための遠隔操作装置として機能する。なお、図１に示す例では、レコーダ１は、ＴＶ受像機２とは別体として設けられているが、ＴＶ受像機２に内蔵されているものであってもよい。
【００２０】
また、本実施形態に係る携帯端末装置１０は、テレビ番組を放送する各放送局によって放送されたテレビ番組の、番組進行に伴う時系列の盛り上がり度を、テレビ番組ごとに蓄積するように構成されたサーバ装置５０と、インターネット３を介して通信可能とされている。
【００２１】
以下では、まず、サーバ装置５０の構成について説明する。図２は、サーバ装置５０の概略的な構成を示すブロック図である。サーバ装置５０は、通信部５１と、操作部５２と、表示部５３と、記憶部５４と、制御部５５とを含んで構成される。
【００２２】
通信部５１は、インターネット３を介して、携帯端末装置１０、およびミニブログサービスを提供するミニブログサーバ装置４（図１参照）と通信を行うための通信インターフェイスとして機能する。
【００２３】
操作部５２は、たとえばキーボードやマウスなどによって実現され、サーバ装置５０の管理者などによって操作されることにより、その操作に対応した指令信号や入力データを制御部５５へ出力する。表示部５３は、制御部５５から与えられる画像データの画像を表示可能に構成され、たとえば液晶表示装置によって実現される。
【００２４】
記憶部５４は、制御部５５での処理に利用されるソフトウェアやデータを保存する記憶装置であり、サーバ装置５０に電源が供給されている間のみデータ保持が可能なＳＲＡＭ（Static Random Access Memory）およびＤＲＡＭ（Dynamic Random Access Memory）や、サーバ装置５０への電源供給が遮断された状態でも記録したデータを保持し続けることが可能なフラッシュメモリおよびＥＥＰＲＯＭ（Electrically Erasable Programmable Read Only Memory）（登録商標）などによって実現される。
【００２５】
この記憶部５４には、サーバ装置５０の基本的な機能を実現するオペレーティングシステムプログラムのほか、各放送局によって現在放送されているテレビ番組の盛り上がり度を導出する機能を実現するための盛り上がり度導出プログラム５６が格納されている。さらに、記憶部５４には、盛り上がり度導出プログラム５６を実行する際に用いられるデータおよび各種処理条件などを含む処理条件データ５７も格納されている。この処理条件データ５７には、後述するミニブログテーブル７１、キーワードテーブル７２、放送局別ミニブログテーブル７３、時系列盛り上がり度テーブル７４、および盛り上がりデータテーブル７５などが含まれる。
【００２６】
制御部５５は、サーバ装置５０の全体的な動作を統括的に制御する処理部であり、たとえばＣＰＵ（Central Processing Unit）によって実現される。制御部５５は、サーバ装置５０において行われる各種の処理が、操作部５２に対する操作や、サーバ装置５０の記憶部５４に記憶される各種のプログラムに応じて適切に実行されるように、通信部５１、表示部５３および記憶部５４を制御する。
【００２７】
図３は、サーバ装置５０において、制御部５５が盛り上がり度導出プログラム５６を実行することによって実現される各種の機能を示す機能ブロック図である。制御部５５は、記憶部５４に記憶される盛り上がり度導出プログラム５６を実行することによって、ミニブログ取得部６１、キーワード管理部６２、ミニブログ抽出部６３、盛り上がり度集計部６４、盛り上がり度管理部６５、盛り上がりデータ生成部６６、データ送信部６７として機能する。
【００２８】
ミニブログ取得部６１は、通信部５１を制御し、インターネット３を介して、予め定めるミニブログサーバ装置４から、そのミニブログサーバ装置４に蓄積されているミニブログデータを、定期的に取得する。
【００２９】
このミニブログサーバ装置４は、図１に示すように、携帯端末装置やパーソナルコンピュータなど、インターネット３に接続可能な端末装置５から投稿されたメッセージ（コメント）を、ミニブログデータとして蓄積するように構成されている。
【００３０】
このミニブログデータには、そのメッセージを投稿した投稿者の名前を示すユーザ名、投稿されたメッセージの内容を示すメッセージ本文、およびそのメッセージが投稿された日時の３つの属性情報が含まれている。本実施形態では、ミニブログサーバ装置４は、Ｔｗｉｔｔｅｒ（登録商標）のサービスを提供するサーバ装置によって実現されるものとして説明する。すなわち、メッセージ本文には、メッセージ以外に、ハッシュタグも含まれている。
【００３１】
ミニブログ取得部６１は、所定の周期で定期的にミニブログサーバ装置４へアクセスして、前回アクセスしてから今回アクセスするまでの間に新たに蓄積されたミニブログデータを、ミニブログサーバ装置４から取得する。
【００３２】
本実施形態では、ミニブログ取得部６１は、毎分０秒および３０秒のタイミングで、ミニブログサーバ装置４へアクセスして、新たに蓄積されたミニブログデータを取得するように構成されている。ミニブログ取得部６１は、このようにしてミニブログサーバ装置４からミニブログデータを取得すると、記憶部５４に設けられているミニブログテーブル７１に、取得したミニブログデータを格納する。
【００３３】
図４は、サーバ装置５０の記憶部５４に設けられているミニブログテーブル７１の一例を示す図である。ミニブログテーブル７１には、ミニブログデータごとに、投稿日時ｄ１、ユーザ名ｄ２、およびメッセージ本文ｄ３の３つの属性データが格納される。
【００３４】
キーワード管理部６２は、ミニブログテーブル７１に格納された各ミニブログデータについて、キー局およびローカル局を含む全国の放送局のうちのいずれかの放送局によって現在放送されているテレビ番組に関して投稿されたものであるか否かを判定する際に用いられるキーワードを管理する。具体的には、キーワード管理部６２は、記憶部５４に設けられているキーワードテーブル７２を管理する。
【００３５】
図５は、サーバ装置５０の記憶部５４に設けられているキーワードテーブル７２の一例を示す図である。キーワードテーブル７２には、判定対象のミニブログデータが、各放送局によって現在放送されているテレビ番組に関する投稿であることを特定し得るキーワードｄ５が、そのテレビ番組を放送している放送局の放送局ＩＤｄ４に関連付けて格納される。なお、放送局ＩＤｄ４は、放送局ごとに、当該放送局を識別するために予め割り当てられた識別情報である。
【００３６】
このキーワードテーブル７２に格納されるキーワードｄ５としては、各放送局によって現在放送されているテレビ番組の名称や略称、そのテレビ番組を放送している放送局の名称や略称などが挙げられ、１つの放送局について、複数のキーワードｄ５が格納されてもよい。
【００３７】
このような放送局ＩＤｄ４およびキーワードｄ５のデータ対から成る各レコードは、たとえばサーバ装置５０を管理する管理者によって、操作部５２を介して事前に入力される。そして、キーワード管理部６２によって、事前に入力されたレコードの中から、各放送局によって現在放送されているテレビ番組に関するレコードが抽出されて、キーワードテーブル７２に格納される。
【００３８】
ミニブログ抽出部６３は、ミニブログテーブル７１に格納されている各ミニブログデータについて、キーワードテーブル７２に格納されている各レコードを参照して、当該ミニブログデータが、各放送局によって現在放送されているテレビ番組に関して投稿されたものであるか否かを判定する。そして、テレビ番組に関して投稿されたメッセージに係るミニブログデータであると判定されたものについては、さらに、放送局ごとに分類して、記憶部５４に設けられている放送局別ミニブログテーブル７３に格納する。
【００３９】
図６は、サーバ装置５０の記憶部５４に設けられている放送局別ミニブログテーブル７３の一例を示す図であり、図６（ａ）は、放送局名が「ＡＡテレビ」の放送局によって放送されたテレビ番組に関するミニブログデータが格納されたテーブルを示し、図６（ｂ）は、放送局名が「ＢＢテレビ」の放送局によって放送されたテレビ番組に関するミニブログデータが格納されたテーブルを示している。図６に示すように、放送局ごとに設けられた各テーブルには、図４に示すミニブログテーブル７１と同様に、ミニブログデータごとに、投稿日時ｄ１、ユーザ名ｄ２、およびメッセージ本文ｄ３の３つの属性データが格納される。
【００４０】
盛り上がり度集計部６４は、放送局別ミニブログテーブル７３を参照して、各放送局によって現在放送されているテレビ番組の盛り上がり度を定期的に導出する。本実施形態では、盛り上がり度集計部６４は、毎分０秒のタイミングでミニブログサーバ装置４へアクセスすることにより取得されたミニブログデータが、ミニブログ抽出部６３によって放送局ごとに分類して放送局別ミニブログテーブル７３に格納されると、各テレビ番組の盛り上がり度の導出処理を開始する。
【００４１】
各テレビ番組の盛り上がり度は、本実施形態では、放送局別ミニブログテーブル７３を参照して、放送局ごとに、正分から次の正分までの１分間の間に投稿されたメッセージの投稿数をカウントし、カウントされた投稿数を１００で除することによって算出され、上限値として１が設定されている。すなわち、１分間の投稿数が１００以上である場合には、盛り上がり度は１となる。
【００４２】
盛り上がり度管理部６５は、上記のようにして盛り上がり度集計部６４によって各テレビ番組の盛り上がり度が導出されると、導出結果を、記憶部５４に設けられている時系列盛り上がり度テーブル７４に格納する。
【００４３】
図７は、サーバ装置５０の記憶部５４に設けられている時系列盛り上がり度テーブル７４の一例を示す図である。本実施形態では、時系列盛り上がり度テーブル７４には、メッセージの集計期間の開始時刻を示す日時ｄ６のデータ、具体的には、毎時正分を示すデータが格納されるとともに、放送局ごとに、その日時ｄ６のデータに関連付けて、その集計期間の開始時刻から１分間の間に投稿されたメッセージの投稿数に基づいて前記の算出方法により算出された盛り上がり度ｄ８、およびその１分間の間に当該放送局によって放送されたテレビ番組の番組ＩＤｄ７が格納されている。なお、番組ＩＤｄ７は、テレビ番組ごとに、当該テレビ番組を識別するために予め割り当てられた識別情報である。
【００４４】
盛り上がりデータ生成部６６は、時系列盛り上がり度テーブル７４を監視し、テレビ番組が終了すると、換言すれば番組ＩＤｄ７のデータが切り替わると、放送が終了したテレビ番組について、盛り上がり度の平均値と盛り上がり度の最大値とを算出して、算出結果を、記憶部５４に設けられている盛り上がりデータテーブル７５に格納する。
【００４５】
図８は、サーバ装置５０の記憶部５４に設けられている盛り上がりデータテーブル７５の一例を示す図である。盛り上がりデータテーブル７５には、放送が終了したテレビ番組ごとに、そのテレビ番組の放送が開始された日時ｄ９、そのテレビ番組を放送した放送局の放送局名ｄ１０、そのテレビ番組の番組ＩＤｄ７および番組名ｄ１１、ならびに算出された盛り上がり度の平均値ｄ１２および最大値ｄ１３が格納される。
【００４６】
データ送信部６７は、特定のテレビ番組についての時系列盛り上がり度のデータ、ならびに盛り上がり度の平均値および最大値のデータを要求する盛り上がり度要求信号を通信部５１が受信すると、時系列盛り上がり度テーブル７４および盛り上がりデータテーブル７５から要求されているデータを抽出する。
【００４７】
なお、詳細は後述するが、この盛り上がり度要求信号は、サーバ装置５０と通信可能な携帯端末装置１０によって送信される。そして、データ送信部６７は、通信部５１を制御して、抽出したデータを含むデータ信号を、盛り上がり度要求信号を送信してきた携帯端末装置１０に対して送信させる。
【００４８】
また、データ送信部６７は、特定のテレビ番組について、特定の時間帯に投稿されたメッセージの中で最も多用されているキーワード（以下、「盛り上がりキーワード」と称する）を要求するキーワード要求信号を通信部５１が受信すると、キーワード要求信号に含まれる後述する録画番組リスト９０（図１０参照）およびプレイリスト４０（図１８参照）を参照するとともに、記憶部５４に設けられている放送局別ミニブログテーブル７３を参照して、盛り上がりキーワードを抽出する。そして、データ送信部６７は、通信部５１を制御して、抽出した盛り上がりキーワードを含むデータ信号を、キーワード要求信号を送信してきた携帯端末装置１０に対して送信させる。
【００４９】
次に、携帯端末装置１０による遠隔操作対象のレコーダ１の構成について説明する。図９は、レコーダ１の概略的な構成を示すブロック図である。レコーダ１は、通信部８１と、チューナ８２と、ハードディスク装置８３と、デコーダ８４と、映像出力部８５と、音声出力部８６と、半導体メモリ８７と、制御部８８とを含んで構成される。
【００５０】
通信部８１は、本実施形態に係る携帯端末装置１０と通信を行うための通信インターフェイスとして機能する。携帯端末装置１０とレコーダ１とは、有線ＬＡＮ（Local Area Network）または無線ＬＡＮによって互いに通信可能に接続され、本実施形態では、ＩＥＥＥ８０２．１１規格に準拠した無線ＬＡＮブロードバンドルータ６を利用して、互いに通信可能に接続されている。
【００５１】
携帯端末装置１０とレコーダ１との通信は、上記の形態に限らず、たとえば赤外線を用いた通信であってもよく、Ｂｌｕｅｔｏｏｔｈ（登録商標）およびＺｉｇｂｅｅ（登録商標）などの無線通信規格に基づく電波を用いた通信であってもよい。
【００５２】
チューナ８２は、有線または無線で送信されるＴＶ放送波を受信し、ユーザが携帯端末装置１０またはレコーダ１に付属の図示しない専用の遠隔操作装置（以下、「専用リモコン」と称する）を用いて選択した放送チャンネルのテレビ放送信号を選択して、コンテンツデータとして出力する。
【００５３】
ハードディスク装置８３は、ユーザが携帯端末装置１０または専用リモコンを用いて選択したテレビ番組のコンテンツデータを、ハードディスク８３ａに記録するとともに、ハードディスク８３ａに記録されたコンテンツデータを読み出す。
【００５４】
デコーダ８４は、チューナ８２から出力されたコンテンツデータまたはハードディスク装置８３から読み出されたコンテンツデータを復号する。映像出力部８５は、デコーダ８４で復号された映像信号を、ＴＶ受像機２で表示可能な映像信号に変換して、ＴＶ受像機２に出力する。音声出力部８６は、デコーダ８４で復号された音声信号を、ＴＶ受像機２で出力可能な音声信号に変換して、ＴＶ受像機２に出力する。
【００５５】
半導体メモリ８７は、レコーダ１の基本的な機能を実現するためのプログラムおよび各種データを記憶するとともに、ハードディスク８３ａに録画されているテレビ番組（以下、「録画番組」と称する）をダイジェスト再生する機能を実現するためのダイジェスト再生プログラム８９を記憶する。前記各種データには、録画番組の属性データが格納された録画番組リスト９０が含まれている。半導体メモリ８７は、たとえばＥＥＰＲＯＭなどによって実現される。
【００５６】
制御部８８は、レコーダ１の全体的な動作を統括的に制御する処理部であり、たとえばＣＰＵによって実現される。制御部８８は、レコーダ１において行われる各種の処理が、専用リモコンまたは携帯端末装置１０から与えられる指令や、半導体メモリ８７に記憶される各種のプログラムに応じて適切に実行されるように、通信部８１、チューナ８２、ハードディスク装置８３、デコーダ８４、映像出力部８５、音声出力部８６を制御する。
【００５７】
図１０は、レコーダ１の半導体メモリ８７に設けられている録画番組リスト９０の一例を示す図である。録画番組リスト９０には、録画番組ごとに、その録画番組を識別するために自動的に割り当てられる録画番組ＩＤｄ１４、その録画番組を放送した放送局名ｄ１５、録画を開始した日時ｄ１６、録画を終了した日時ｄ１７、およびその録画番組の番組名ｄ１８の５つの属性データが格納される。この録画番組リスト９０は、ハードディスク８３ａに新たなテレビ番組が録画されるか、または録画番組のコンテンツデータがハードディスク８３ａから削除されると、制御部８８によって更新される。
【００５８】
図１１は、レコーダ１において、制御部８８がダイジェスト再生プログラム８９を実行することによって実現される各種の機能を示す機能ブロック図である。制御部８８は、半導体メモリ８７に記憶されるダイジェスト再生プログラム８９を実行することによって、録画番組リスト送信部９１、およびダイジェスト再生処理部９２として機能する。
【００５９】
録画番組リスト送信部９１は、録画番組リスト９０を要求する録画番組リスト要求信号を通信部８１が受信すると、通信部８１を制御して、半導体メモリ８７に記憶されている録画番組リスト９０を、当該録画番組リスト要求信号を送信してきた携帯端末装置１０に対して送信させる。
【００６０】
ダイジェスト再生処理部９２は、ダイジェスト再生指令信号を通信部８１が受信すると、全ての録画番組の中からユーザによって選択された録画番組を、ダイジェスト再生するための処理を実行する。
【００６１】
本実施形態では、このダイジェスト再生指令信号には、後述するプレイリスト（図１８参照）４０のデータが含まれ、ダイジェスト再生処理部９２は、このプレイリスト４０に基づいて、ユーザによって選択された録画番組のコンテンツデータを編集してダイジェストデータを作成し、作成したダイジェストデータを、デコーダ８４、映像出力部８５、音声出力部８６を介してＴＶ受像機２に出力させる。これにより、ＴＶ受像機２には、ユーザによって選択された録画番組がダイジェスト再生される。
【００６２】
次に、携帯端末装置１０の構成について説明する。図１２は、本発明の一実施形態に係る携帯端末装置１０の外観を示す平面図である。
【００６３】
本実施形態では、遠隔操作装置として、レコーダ１を遠隔操作する機能が搭載された携帯電話装置を例に挙げて説明する。しかしながら、本発明の適用対象は、このような携帯電話装置に限定されるものではなく、たとえば、レコーダ１に付属する専用リモコンに対しても適用可能であり、また、レコーダ１を遠隔操作する機能が搭載されたＰＨＳ（Per sonal Handy-phone System）およびＰＤＡ（Personal Digital Assistant）などに対しても本発明は適用可能である。
【００６４】
本実施形態に係る携帯端末装置１０は、いわゆるスマートフォンとして構成された携帯電話装置であり、図１２に示すように、一方の主面部である正面部には、画像が表示される表示面２１ａが設けられるとともに、それぞれ所定の機能が割り当てられた３つの操作キー１１ａが設けられている。なお、スマートフォンに限らず、フィーチャーフォンによって実現されてもよい。
【００６５】
図１３は、本発明の一実施形態に係る携帯端末装置１０の概略的な構成を示すブロック図である。図１３に示すように、携帯端末装置１０は、キー操作部１１と、タッチパネル１２と、第１無線通信部１３と、第２無線通信部１４と、マイクロホン１５と、スピーカ１６と、音声処理部１７と、記憶部１８と、制御部１９とを含んで構成される。
【００６６】
キー操作部１１は、携帯端末装置１０の正面部に設けられる３つの操作キー１１ａの他、携帯端末装置１０の側面部に設けられる図示しない操作キーを有し、ユーザによって任意の操作キーが押圧操作されると、当該操作キーが操作されたことを示す信号を、制御部１９へ与える。
【００６７】
タッチパネル１２は、表示面２１ａを有し、表示面２１ａに画像を表示可能に構成される表示部２１と、表示部２１に重畳されたタッチセンサ２２とを有する。
【００６８】
表示部２１は、たとえば液晶ディスプレイまたは有機ＥＬ（Electro-Luminescence）ディスプレイなどの周知の薄型表示装置を備え、制御部１９から与えられる画像データに応じた画像を表示面２１ａに表示させる。
【００６９】
タッチセンサ２２は、ユーザにより指やスタイラスなどを用いて、表示部２１の表示面２１ａに対して行われた各種のタッチ操作を、タッチ操作が行われた表示面２１ａ上での位置とともに検出する座標入力装置である。タッチセンサ２２によって検出されるタッチ操作には、たとえばタップ操作、フリック操作、ドラッグ操作、ピンチイン操作およびピンチアウト操作などが含まれる。タッチセンサ２２による検出結果は、制御部１９へ与えられる。
【００７０】
第１無線通信部１３は、レコーダ１と通信を行うための通信インターフェイスとして機能する。前記のように、本実施形態では、携帯端末装置１０とレコーダ１とは、ＩＥＥＥ８０２．１１規格の無線ＬＡＮによって互いに通信可能に接続されている。また、第１無線通信部１３は、ルータ６およびインターネット３を介して、サーバ装置５０と通信を行うための通信インターフェイスとして機能する。
【００７１】
第２無線通信部１４は、通信用アンテナおよび通信制御部を備え、移動体通信のセルラーネットワークの基地局との間でＣＤＭＡ（Code Division Multiple Access）等の方式による無線信号回線を確立し、基地局との間で電話通信およびデータ通信を行う。なお、この第２無線通信部１４が、サーバ装置５０と通信を行うための通信インターフェイスとして機能することも可能である。
【００７２】
たとえば、携帯端末装置１０が音声通話用に使用される場合には、マイクロホン１５から入力された音声は、音声処理部１７によってデジタル信号に変換され、該デジタル信号が第２無線通信部１４の通信制御部を経て、通信用アンテナから電波信号として公衆ネットワークに送信される。逆に、音声通話の相手先から電波信号として公衆ネットワークに送信された音声データは、第２無線通信部１４の通信用アンテナで受信され、通信制御部を経ることによりデジタル信号に変換され、該デジタル信号は音声処理部１７でアナログ電気信号に変換され、最終的にスピーカ１６から音声として出力される。
【００７３】
記憶部１８は、制御部１９での処理に利用されるソフトウェアやデータを保存する記憶装置であり、携帯端末装置１０に電源が供給されている間のみデータ保持が可能なＳＲＡＭおよびＤＲＡＭや、携帯端末装置１０への電源供給が遮断された状態でも記録したデータを保持し続けることが可能なフラッシュメモリおよびＥＥＰＲＯＭなどによって実現される。
【００７４】
記憶部１８は、具体的には、メールアプリケーション（電子メール機能）を実現するためのメールプログラム２３、ブラウザアプリケーション（ＷＥＢブラウジング機能）を実現するためのブラウザプログラム２４、電話帳アプリケーション（電話帳機能）を実現するための電話帳プログラム２５、およびリモコンアプリケーション（遠隔操作機能）を実現するためのリモコンプログラム２６などを記憶している。
【００７５】
また、記憶部１８には、携帯端末装置１０の基本的な機能を実現するオペレーティングシステムプログラムのほか、リモコンプログラム２６を実行する際に用いられるデータおよび各種処理条件などを含む処理条件データ２７、および電話帳データ２８なども記憶されている。この処理条件データ２７には、レコーダ１から取得される録画番組リスト９０および後述するプレイリスト４０などが含まれる。
【００７６】
制御部１９は、携帯端末装置１０の全体的な動作を統括的に制御する処理部であり、たとえばＣＰＵによって実現される。制御部１９は、携帯端末装置１０において行われる各種の処理が、キー操作部１１に対する押圧操作または表示面２１ａに対するタッチ操作、ならびに携帯端末装置１０の記憶部１８に記憶される各種のプログラムに応じて適切に実行されるように、第１無線通信部１３、第２無線通信部１４、音声処理部１７、記憶部１８および表示部２１を制御する。
【００７７】
図１４は、本発明の一実施形態に係る携帯端末装置１０において、制御部１９がリモコンプログラム２６を実行することによって実現される各種の機能を示す機能ブロック図である。
【００７８】
制御部１９は、記憶部１８に記憶されるリモコンプログラム２６を実行することによって、録画番組リスト取得部３１、画面生成部３２、録画番組データ取得部３３、ダイジェスト再生時間取得部３４、盛り上がりデータ取得部３５、プレイリスト生成部３６、キーワード取得部３７、再生指示部３８として機能する。
【００７９】
このリモコンプログラム２６は、たとえばホームキー１１ａを押圧操作することにより表示面２１ａに表示されるホーム画面上に表示されたリモコンアプリケーション起動用のアイコンが、ユーザによってタップ操作されることによって実行される。
【００８０】
録画番組リスト取得部３１は、リモコンプログラム２６が実行されると、第１無線通信部１３を制御し、レコーダ１から録画番組リスト９０を取得する。具体的には、録画番組リスト取得部３１は、録画番組リスト９０を要求する録画番組リスト要求信号を、第１無線通信部１３に送信させる。そして、この録画番組リスト要求信号に応答してレコーダ１から送信された録画番組リスト９０のデータ信号を第１無線通信部１３が受信することにより、録画番組リスト取得部３１は、録画番組リスト９０を取得する。そして、録画番組リスト取得部３１は、取得した録画番組リスト９０を記憶部１８に格納する。
【００８１】
画面生成部３２は、録画番組リスト取得部３１によって録画番組リスト９０が記憶部１８に格納されると、その録画番組リスト９０を参照して、録画番組リスト画面Ｒ１の画像データを生成し、生成した画像データを表示部２１へ出力する。表示部２１では、画面生成部３２から録画番組リスト画面Ｒ１の画像データが入力されると、表示面２１ａに録画番組リスト画面Ｒ１を表示させる。
【００８２】
図１５は、リモコンプログラム２６の実行に伴って表示面２１ａに表示される録画番組リスト画面Ｒ１の一例を示す図である。図１５に示すように、録画番組リスト画面Ｒ１には、録画番組ごとに、録画番組の番組名ならびに録画開始日時および録画終了日時を示す文字情報ｒ１１が表示されるとともに、該文字情報ｒ１１に隣接してチェックボックスｒ１２が表示されている。また、画面下部には、「戻る」ボタンｒ１３とともに、「ダイジェスト再生」ボタンｒ１４が表示されている。
【００８３】
なお、画面内に録画番組リスト９０の全てを表示することができない場合には、画面を縦方向にフリック操作することで、録画番組リストがスクロール表示され、これにより録画番組リスト９０の全てを確認できるようにされている。また、図１５に示すように、録画番組リスト画面Ｒ１では、録画開始日時の古い順に、録画番組が並べて表示される。
【００８４】
また、この録画番組リスト画面Ｒ１が表示面２１ａに表示されている状態では、文字情報ｒ１１、チェックボックスｒ１２、および各ボタンｒ１３，ｒ１４を包含する所定の領域に対して、タッチエリアｔ１１〜ｔ１４がそれぞれ設定されており、録画番組の文字情報ｒ１１を包含するタッチエリアｔ１１に対してタップ操作が行われると、当該録画番組の再生指令がレコーダ１へ送出される。
【００８５】
また、チェックボックスｒ１２を包含するタッチエリアｔ１２に対してタップ操作が行われると、当該チェックボックスｒ１２内が空欄であればチェックマークｒ１５が表示され、当該チェックボックスｒ１２内にチェックマークｒ１５が表示されていれば当該チェックマークｒ１５が消去される。なお、チェックマークｒ１５が表示されている録画番組が、ダイジェスト再生の対象として選択された番組であり、ユーザは、図１５に示すように、複数の録画番組を選択することができる。
【００８６】
また、「戻る」ボタンｒ１３を包含するタッチエリアｔ１３に対してタップ操作が行われると、リモコンプログラム２６は終了し、「ダイジェスト再生」ボタンｒ１４を包含するタッチエリアｔ１４に対してタップ操作が行われると、画面生成部３２は、視聴時間設定画面Ｒ２の画像データを生成し、生成した画像データを表示部２１へ出力する。表示部２１では、画面生成部３２から視聴時間設定画面Ｒ２の画像データが入力されると、表示面２１ａに視聴時間設定画面Ｒ２を表示させる。なお、画面生成部３２は、録画番組が１つも選択されていない状態でタッチエリアｔ１４に対してタップ操作が行われると、エラー画面を表示部２１に表示させる。
【００８７】
図１６は、録画番組リスト画面Ｒ１における「ダイジェスト再生」ボタンｒ１４のタップ操作に伴って表示面２１ａに表示される視聴時間設定画面Ｒ２の一例を示す図である。図１６に示すように、視聴時間設定画面Ｒ２には、ダイジェスト再生時間を示す値が表示されるボックスｒ２１に隣接してドロップダウンボタンｒ２２が表示され、さらに、「戻る」ボタンｒ２３とともに、「実行」ボタンｒ２４が表示されている。
【００８８】
また、この視聴時間設定画面Ｒ２が表示面２１ａに表示されている状態では、各ボタンｒ２２〜ｒ２４を包含する所定の領域に対して、タッチエリアｔ２２〜ｔ２４がそれぞれ設定されており、ドロップダウンボタンｒ２２を包含するタッチエリアｔ２２に対してタップ操作が行われると、たとえば５分間隔で設定されたダイジェスト再生時間が格納されるドロップダウンリストが表示され、そこで選択された一のダイジェスト再生時間がボックスｒ２１に表示される。なお、ドロップダウンリストに格納されるダイジェスト再生時間は、ユーザによって選択された録画番組の録画時間の合計を超えない範囲で設定される。
【００８９】
また、「戻る」ボタンｒ２３を包含するタッチエリアｔ２３に対してタップ操作が行われると、録画番組リスト画面Ｒ１の表示状態に戻り、「実行」ボタンｒ２４を包含するタッチエリアｔ２４に対してタップ操作が行われると、画面生成部３２は、再生パターン選択画面Ｒ３の画像データを生成し、生成した画像データを表示部２１へ出力する。表示部２１では、画面生成部３２から再生パターン選択画面Ｒ３の画像データが入力されると、表示面２１ａに再生パターン選択画面Ｒ３を表示させる。再生パターン選択画面Ｒ３については後述する。
【００９０】
録画番組データ取得部３３は、録画番組リスト画面Ｒ１が表示面２１ａに表示されている状態でタッチエリアｔ１４に対してタップ操作が行われると、記憶部１８に格納される録画番組リスト９０から、ユーザによって選択された録画番組のデータを取得する。
【００９１】
ダイジェスト再生時間取得部３４は、視聴時間設定画面Ｒ２が表示面２１ａに表示されている状態でタッチエリアｔ２４に対してタップ操作が行われると、ユーザによって選択されたダイジェスト再生時間を取得する。
【００９２】
盛り上がりデータ取得部３５は、録画番組リスト画面Ｒ１が表示面２１ａに表示されている状態でタッチエリアｔ１４に対してタップ操作が行われると、第１無線通信部１３を制御し、ユーザによって選択された録画番組についての時系列盛り上がり度のデータ、ならびに盛り上がり度の平均値および最大値のデータを、インターネット３を介して、サーバ装置５０から取得する。具体的には、盛り上がりデータ取得部３５は、前記の盛り上がり度のデータを要求する盛り上がり度要求信号を、第１無線通信部１３に送信させる。そして、この盛り上がり度要求信号に応答してサーバ装置５０から送信されたデータ信号を第１無線通信部１３が受信することにより、盛り上がりデータ取得部３５は、時系列盛り上がり度のデータ、ならびに盛り上がり度の平均値および最大値のデータを取得する。
【００９３】
なお、本実施形態では、タッチエリアｔ１４に対してタップ操作に応答して、ユーザによって選択された録画番組についての盛り上がり度のデータだけをサーバ装置５０から取得するように構成されているが、他の実施形態では、録画番組リスト取得部３１によって録画番組リスト９０が記憶部１８に格納された時点で、録画番組リスト９０に挙げられている全ての録画番組についての盛り上がり度のデータをサーバ装置５０から取得するように構成してもよい。
【００９４】
プレイリスト生成部３６は、視聴時間設定画面Ｒ２が表示面２１ａに表示されている状態でタッチエリアｔ２４に対してタップ操作が行われると、録画番組データ取得部３３によって取得された録画番組のデータ、ダイジェスト再生時間取得部３４によって取得されたダイジェスト再生時間、および、盛り上がりデータ取得部３５によって取得された盛り上がり度のデータに基づいて、ダイジェスト再生するためのプレイリスト４０（図１８参照）を生成する。本実施形態では、３つの再生パターンをユーザに提示するために、それぞれについてプレイリスト４０を生成するように構成される。
【００９５】
図１７は、３つの再生パターンについて説明するための図であり、図１７（ａ）〜図１７（ｃ）は、第１〜第３の再生パターンをそれぞれ示している。ここでは、ユーザによって、１時間番組Ｋ１および２時間番組Ｋ２の２つの録画番組が、ダイジェスト再生のために選択されたものとして説明する。
【００９６】
図１７（ａ）〜図１７（ｃ）では、各録画番組Ｋ１，Ｋ２について、盛り上がりデータ取得部３５によって取得された時系列盛り上がり度のデータに基づき、番組の進行に伴う盛り上がり度の推移を折れ線グラフで示している。なお、横軸は、番組開始からの時間の経過（単位：分）を示し、縦軸は、盛り上がり度を示している。
【００９７】
第１の再生パターンでは、ユーザによって選択されたＮ（Ｎは自然数）個の録画番組が、ダイジェスト再生において、ユーザによって選択されたダイジェスト再生時間をＮで除した時間だけ再生されるように、ダイジェスト再生範囲が決定される。
【００９８】
図１７（ａ）に示す例の場合、ユーザによって選択されたダイジェスト再生時間が３０分であるとすると、各録画番組Ｋ１，Ｋ２が、ダイジェスト再生において１５分（＝３０／２）ずつ再生されるように、ダイジェスト再生範囲が決定される。
【００９９】
ダイジェスト再生範囲を決定するに当たっては、各録画番組Ｋ１，Ｋ２ごとに、盛り上がり度の高い部分が、算出された時間（前記の例では１５分）だけ抽出されるように、盛り上がり度の閾値ＴＨ１，ＴＨ２を求め、閾値ＴＨ１，ＴＨ２よりも盛り上がり度の高い範囲がダイジェスト再生範囲として決定される。
【０１００】
第２の再生パターンでは、Ｎ個の録画番組を通して、盛り上がり度の高い部分が、ユーザによって選択されたダイジェスト再生時間だけ再生されるように、ダイジェスト再生範囲が決定される。
【０１０１】
ダイジェスト再生範囲を決定するに当たっては、各録画番組Ｋ１，Ｋ２を通して、盛り上がり度の高い部分がダイジェスト再生時間だけ抽出されるように、各録画番組Ｋ１，Ｋ２で等しい閾値ＴＨ３が求められ、閾値ＴＨ３よりも盛り上がり度の高い範囲がダイジェスト再生範囲として決定される。図１７（ｂ）に示す例の場合、３０分のダイジェスト再生において、録画番組Ｋ１については２５分再生され、録画番組Ｋ２については５分だけ再生される。したがって、第２の再生パターンでは、ユーザによって選択された録画番組のうち、ダイジェスト再生において、全く再生されない録画番組が存在する場合がある。
【０１０２】
第３の再生パターンでは、ユーザによって選択されたＮ個の録画番組について予め定められた基準で重み付けをし、各録画番組が、ダイジェスト再生において、その重みに応じた時間だけ再生されるように、ダイジェスト再生範囲が決定される。本実施形態では、各録画番組の録画時間が長いほど重みが大きくなるように基準が定められているものとする。
【０１０３】
図１７（ｃ）に示す例の場合、ユーザによって選択されたダイジェスト再生時間が３０分であるとすると、各録画番組Ｋ１，Ｋ２の録画時間の比が１：２であるので、ダイジェスト再生において、１：２の比で再生時間が配分されるように、具体的には録画番組Ｋ１が１０分、録画番組Ｋ２が２０分再生されるように、ダイジェスト再生範囲が決定される。
【０１０４】
ダイジェスト再生範囲を決定するに当たっては、第１の再生パターンの場合と同様に、各録画番組Ｋ１，Ｋ２ごとに、盛り上がり度の高い部分が、算出された時間（前記の例では１０分と２０分）だけ抽出されるように、盛り上がり度の閾値ＴＨ４，ＴＨ５を求め、閾値ＴＨ４，ＴＨ５よりも盛り上がり度の高い範囲がダイジェスト再生範囲として決定される。
【０１０５】
なお、この第３の再生パターンにおいて、重み付けの方法は、録画時間の長さに限らず、たとえば、盛り上がりデータ取得部３５によって取得された、各録画番組の盛り上がり度の平均値または最大値のデータに基づき、平均値または最大値が大きいほど重みが大きくなるようにしてもよい。なお、第３の再生パターンにおける重み付けの方法については、ユーザによって適宜、設定変更できるように構成されるのが好ましい。
【０１０６】
プレイリスト生成部３６は、上記のようにして、３つの各再生パターンについて、ダイジェスト再生範囲を決定すると、各再生パターンについてプレイリスト４０をそれぞれ作成し、作成したプレイリスト４０を記憶部１８に格納する。
【０１０７】
図１８は、プレイリスト生成部３６によって作成されるプレイリスト４０の一例を示す図である。プレイリスト４０には、ダイジェスト再生範囲ごとに、そのダイジェスト再生範囲に割り当てられたシーンＩＤｄ１９、そのダイジェスト再生範囲を含む録画番組の録画番組ＩＤｄ２０、そのダイジェスト再生範囲の始点の番組開始からの経過時間を示すシーン開始位置ｄ２１、および、そのダイジェスト再生範囲の終点の番組開始からの経過時間を示すシーン終了位置ｄ２２の４つの属性データが格納される。図１８では、図１７（ａ）に示すに示す第１の再生パターンに対応したプレイリスト４０を示している。
【０１０８】
キーワード取得部３７は、プレイリスト生成部３６によって各再生パターンのプレイリスト４０が生成されると、第１無線通信部１３を制御し、各再生パターンの各ダイジェスト再生範囲について、そのダイジェスト再生範囲が実際に放送された時間帯に、そのテレビ番組について投稿されたメッセージの中で最も多用されている盛り上がりキーワードを、サーバ装置５０から取得する。
【０１０９】
具体的には、キーワード取得部３７は、盛り上がりキーワードを要求するキーワード要求信号を、第１無線通信部１３に送信させる。このキーワード要求信号には、各再生パターンのプレイリスト４０および録画番組リスト９０が含まれている。そして、このキーワード要求信号に応答してサーバ装置５０から送信された盛り上がりキーワードを含むデータ信号を第１無線通信部１３が受信することにより、キーワード取得部３７は、盛り上がりキーワードを取得する。
【０１１０】
このようにしてキーワード取得部３７によって盛り上がりキーワードが取得されると、画面生成部３２は、録画番組データ取得部３３によって取得された録画番組のデータ、プレイリスト生成部３６によって作成されたプレイリスト４０、および、キーワード取得部３７によって取得された盛り上がりキーワードに基づいて、再生パターン選択画面Ｒ３の画像データを生成し、生成した画像データを表示部２１へ出力する。
【０１１１】
図１９は、視聴時間設定画面Ｒ２における「実行」ボタンｒ２４のタップ操作に伴って表示面２１ａに表示される再生パターン選択画面Ｒ３の一例を示す図である。図１９に示すように、再生パターン選択画面Ｒ３には、再生パターンごとに、ユーザによって選択された各録画番組の番組名およびダイジェスト再生時の再生時間を示す文字情報ｒ３１とともに、各録画番組の盛り上がり度の推移を示す折れ線グラフとともにダイジェスト再生範囲が図示された再生範囲通知用の図ｒ３２が表示され、さらに各ダイジェスト再生範囲について、盛り上がりキーワードｒ３３が表示されている。
【０１１２】
さらに、再生パターンごとに、「実行」ボタンｒ３４が表示され、画面上部には、「戻る」ボタンｒ３５が表示されている。
【０１１３】
また、この再生パターン選択画面Ｒ３が表示面２１ａに表示されている状態では、各ボタンｒ３４，ｒ３５を包含する所定の領域に対して、タッチエリアｔ３４，ｔ３５がそれぞれ設定されており、「戻る」ボタンｒ３５を包含するタッチエリアｔ３５に対してタップ操作が行われると、視聴時間設定画面Ｒ２の表示状態に戻る。
【０１１４】
再生指示部３８は、前記の再生パターン選択画面Ｒ３が表示面２１ａに表示されている状態で、「実行」ボタンｒ３４を包含するタッチエリアｔ３４に対してタップ操作が行われると、その「実行」ボタンｒ３４に対応した再生パターンのプレイリスト４０を記憶部１８から抽出し、第１無線通信部１３を制御して、抽出したプレイリスト４０を含めたダイジェスト再生指令信号を、レコーダ１に対して送信させる。
【０１１５】
レコーダ１では、このダイジェスト再生指令信号を通信部８１が受信すると、プレイリスト４０に基づいて、ユーザによって選択された録画番組のコンテンツデータを編集してダイジェストデータを作成し、作成したダイジェストデータを、デコーダ８４、映像出力部８５、音声出力部８６を介してＴＶ受像機２に出力させる。これにより、ＴＶ受像機２には、ユーザによって選択された録画番組がダイジェスト再生される。
【０１１６】
また、再生指示部３８は、録画番組リスト画面Ｒ１が表示面２１ａに表示されている状態で、録画番組の文字情報ｒ１１を包含するタッチエリアｔ１１に対してタップ操作が行われると、第１無線通信部１３を制御して、その文字情報ｒ１１に対応した録画番組を頭から再生させるための再生指令信号を、レコーダ１に対して送信させる。
【０１１７】
なお、記憶部１８に記憶されるリモコンプログラム２６には、前記各部３１〜３８によって実現される機能以外に、テレビ番組の録画指令をレコーダ１に与えるための機能や、放送チャンネルを選択するための選局指令をレコーダ１に与えるための機能がさらに備えられていてもよい。
【０１１８】
図２０は、携帯端末装置１０においてリモコンプログラム２６の実行に伴って行われるダイジェスト再生処理の処理手順を示すフローチャートである。携帯端末装置１０のホーム画面上に表示されたリモコンアプリケーション起動用のアイコンが、ユーザによってタップ操作されることによって、リモコンプログラム２６が実行されると、処理が開始されてステップｓ１に進む。
【０１１９】
ステップｓ１で、録画番組リスト取得部３１は、第１無線通信部１３を制御し、録画番組リスト要求信号をレコーダ１に対して送信させ、この録画番組リスト要求信号に応答してレコーダ１から録画番組リスト９０を取得すると、ステップｓ２に進む。
【０１２０】
ステップｓ２で、画面生成部３２は、録画番組リスト取得部３１によって取得された録画番組リスト９０を参照して、録画番組リスト画面Ｒ１の画像データを生成し、生成した画像データを表示部２１へ出力して、ステップｓ３に進む。これにより、表示面２１ａには、録画番組リスト画面Ｒ１が表示される。
【０１２１】
ステップｓ３で、録画番組データ取得部３３は、タッチセンサ２２から制御部１９へ与えられる検出結果を監視し、「ダイジェスト再生」ボタンｒ１４を包含するタッチエリアｔ１４がタップ操作されたか否かを判定し、タッチエリアｔ１４がタップ操作された場合にはステップｓ５に進み、タッチエリアｔ１１またはタッチエリアｔ１３がタップ操作された場合にはステップｓ４に進む。
【０１２２】
ステップｓ４で、タッチエリアｔ１１がタップ操作された場合には、再生指示部３８は、第１無線通信部１３を制御して、タッチエリアｔ１１に対応した録画番組を頭から再生させるための再生指令信号を、レコーダ１に対して送信させて、ダイジェスト再生処理を終了する。これにより、レコーダ１では、ユーザによって選択された録画番組のコンテンツデータが、デコーダ８４、映像出力部８５、音声出力部８６を介してＴＶ受像機２に出力され、その録画番組がＴＶ受像機２に再生される。また、タッチエリアｔ１３がタップ操作された場合には、制御部１９は、ダイジェスト再生処理を終了する。
【０１２３】
ステップｓ５で、画面生成部３２は、チェックボックスｒ１２内にチェックマークｒ１５が付された録画番組の録画時間の合計を求め、視聴時間設定画面Ｒ２の画像データを生成し、生成した画像データを表示部２１へ出力して、ステップｓ６に進む。これにより、表示面２１ａには、視聴時間設定画面Ｒ２が表示される。
【０１２４】
ステップｓ６で、ダイジェスト再生時間取得部３４は、タッチセンサ２２から制御部１９へ与えられる検出結果を監視し、「実行」ボタンｒ２４を包含するタッチエリアｔ２４に対してタップ操作されたか否かを判定し、タッチエリアｔ２４がタップ操作された場合には、ボックスｒ２１内に記述されるダイジェスト再生時間を取得して、ステップｓ７に進み、タッチエリアｔ２３がタップ操作された場合にはステップｓ２に戻る。
【０１２５】
ステップｓ７で、盛り上がりデータ取得部３５は、第１無線通信部１３を制御し、盛り上がり度要求信号をサーバ装置５０に対して送信させ、この盛り上がり度要求信号に応答してサーバ装置５０から盛り上がり度のデータを取得すると、ステップｓ８に進む。
【０１２６】
ステップｓ８で、プレイリスト生成部３６は、録画番組データ取得部３３によって取得された録画番組のデータ、ダイジェスト再生時間取得部３４によって取得されたダイジェスト再生時間、および、盛り上がりデータ取得部３５によって取得された盛り上がり度のデータに基づいて、プレイリスト４０を生成し、ステップｓ９に進む。
【０１２７】
ステップｓ９で、キーワード取得部３７は、第１無線通信部１３を制御し、キーワード要求信号をサーバ装置５０に対して送信させ、このキーワード要求信号に応答してサーバ装置５０から盛り上がりキーワードを取得すると、ステップｓ１０に進む。
【０１２８】
ステップｓ１０で、画面生成部３２は、再生パターン選択画面Ｒ３の画像データを生成し、生成した画像データを表示部２１へ出力して、ステップｓ１１に進む。これにより、表示面２１ａには、再生パターン選択画面Ｒ３が表示される。
【０１２９】
ステップｓ１１で、再生指示部３８は、タッチセンサ２２から制御部１９へ与えられる検出結果を監視し、「実行」ボタンｒ３４を包含するタッチエリアｔ３４に対してタップ操作されたか否かを判定し、タッチエリアｔ３４がタップ操作された場合にはステップｓ１２に進み、タッチエリアｔ３５がタップ操作された場合にはステップｓ５に戻る。
【０１３０】
ステップｓ１２で、再生指示部３８は、タップ操作されたタッチエリアｔ３４に対応した再生パターンのプレイリスト４０を記憶部１８から抽出し、第１無線通信部１３を制御して、ダイジェスト再生指令信号を、レコーダ１に対して送信させ、ダイジェスト再生処理を終了する。これにより、レコーダ１では、ダイジェストデータが作成されて、デコーダ８４、映像出力部８５、音声出力部８６を介してＴＶ受像機２に出力され、ユーザによって選択された録画番組がダイジェスト再生される。
【０１３１】
以上のように、本実施形態によれば、ユーザは、レコーダ１に録画されている録画番組の中から選択した録画番組をダイジェストで視聴する際、その録画番組についてメッセージの投稿数が多かったシーン、すなわちそのテレビ番組の放送時に視聴者が盛り上がっていたシーンだけを優先して、ユーザが設定したダイジェスト再生時間の範囲内で視聴することができる。したがって、ユーザは、ダイジェスト再生によって録画番組を視聴した場合であっても、視聴者による盛り上がりの度合いが大きかった重要なシーンを見逃すことなく視聴することができる。このように、本実施形態によれば、ユーザにとっての利便性を向上させることができる。
【０１３２】
また、本実施形態によれば、複数の録画番組をダイジェストで視聴する際、ユーザは、各録画番組の番組内容などを考慮して、３つの異なる再生パターンの中から、選択した録画番組をダイジェスト再生するのにふさわしい再生パターンを、自分で判断して選択できるように構成されているので、ユーザにとっての利便性をさらに向上させることができる。
【０１３３】
また、本実施形態によれば、再生パターン選択画面Ｒ３には、各録画番組の盛り上がり度の推移が表示されるとともに、各再生パターンにおいて、録画番組ごとに、抽出されたダイジェスト再生範囲が表示される。さらには、抽出されたダイジェスト再生範囲ごとに、盛り上がりキーワードが表示される。したがって、ユーザは、これらの情報を確認しながら、ダイジェスト再生するのにふさわしい再生パターンを選択することができるので、ユーザにとっての利便性をさらに向上させることができる。
【０１３４】
なお、上記の実施形態では、携帯端末装置１０が、プレイリスト４０を含めたダイジェスト再生指令信号をレコーダ１に対して送信することによって、レコーダ１側でダイジェストデータを作成して、ダイジェスト再生が行われるように構成されているが、他の実施形態としては、携帯端末装置１０が、記憶部１８に格納されるプレイリスト４０を参照して、抽出されたシーンの再生を開始させる指令信号を、抽出されたシーンごとに、適切なタイミングで、レコーダ１に対して送信することによって、ダイジェスト再生が行われるように構成されてもよい。
【０１３５】
たとえば図１８に示すプレイリスト４０の場合を例に挙げると、録画番組ＩＤが「０００１」の録画番組を、シーン開始位置「００：４０：００」から再生させるための第１の指令信号をレコーダ１に対して送信し、第１の指令信号の送信時から１５分経過したタイミングで、録画番組ＩＤが「０００４」の録画番組を、シーン開始位置「０１：０２：００」から再生させるための第２の指令信号をレコーダ１に対して送信し、第２の指令信号の送信時から５分経過したタイミングで、録画番組ＩＤが「０００４」の録画番組を、シーン開始位置「０１：５０：００」から再生させるための第３の指令信号をレコーダ１に対して送信することによって、ダイジェスト再生が行われるように構成されてもよい。
【０１３６】
また、上記の実施形態では、レコーダ１から取得された録画番組リスト９０に基づいて録画番組リスト画面Ｒ１を表示面２１ａに表示させることで、ダイジェスト再生させるための録画番組を、リストの中からユーザに選択させるように構成されているが、他の実施形態として、たとえばレコーダ１が、チューナ８２によって選局可能な複数の放送局によって放送されている各テレビ番組（たとえば地上波で放送されている全てのテレビ番組）を同時に録画する、「全録」と称される機能を備えているものであれば、リモコンプログラム２６の実行に伴って、特定の期間（たとえば１週間）において、前記複数の放送局によって放送された全てのテレビ番組を、盛り上がり度の高い順にランキングした番組ランキング画面を表示面２１ａに表示させることで、ダイジェスト再生させるための録画番組を、ユーザに選択させるように構成されてもよい。なお、前記番組ランキング画面は、たとえば携帯端末装置１０が、サーバ装置５０から、特定の期間の全てのテレビ番組についての盛り上がり度の平均値を取得することで、当該画面の画像データを生成するようにしてもよい。
【０１３７】
また、上記の実施形態では、サーバ装置５０において盛り上がり度を導出する際、放送局ごとに、１分あたりのメッセージの投稿数を１００で除することで、テレビ番組の盛り上がり度としているが、他の実施形態では、たとえば、放送局ごとに、１分あたりのメッセージの投稿数を、その１分間に最もメッセージが投稿されたテレビ番組のメッセージの投稿数で除することで正規化した値を、テレビ番組の盛り上がり度としてもよく、あるいは、放送局ごとに、１分あたりのメッセージの投稿数を、その１分間に各放送局のテレビ番組について投稿されたメッセージの全投稿数で除した値を、テレビ番組の盛り上がり度としてもよい。
【０１３８】
また、上記の実施形態では、ミニブログサービスにおいて投稿されたメッセージの投稿数を利用して盛り上がり度を導出しているが、他の実施形態としては、各放送局によって放送されたテレビ番組の毎分の視聴率を、盛り上がり度としてもよい。
【０１３９】
また、上記の実施形態では、ユーザによって選択された録画番組からダイジェスト再生のためのシーンを抽出する際、時系列盛り上がり度のデータに基づいて、各録画番組から、所定の時間分だけ盛り上がり度の高いシーンが抽出されるように、盛り上がり度の閾値を決定するという方法を採用しているが、時系列盛り上がり度のデータに基づいて、他の方法によりダイジェスト再生のためのシーンを抽出することも可能である。以下、ダイジェスト再生のためのシーンを抽出する他の方法の一例について説明する。
【０１４０】
図２１は、シーン抽出対象の録画番組の１分毎の盛り上がり度の推移を示すグラフＧである。グラフＧにおいて、横軸は、番組開始からの時間の経過（単位：分）を示し、縦軸は、盛り上がり度を示している。
【０１４１】
この方法では、時系列盛り上がり度のデータに基づいて、先ず、盛り上がり度の最も高いポイントｐ１を特定し、そのポイントｐ１に対応した１分間を基準として、その基準となる１分間の直前のＲ１（分）および直後のＲ２（分）を含む、合計Ｒ（＝Ｒ１＋Ｒ２＋１）（分）のシーンを先ず抽出し、抽出されたシーンの時間が、必要とする再生時間に満たなければ、抽出されたシーンを除いた部分から盛り上がり度の最も高いポイントｐ２を特定し、そのポイントｐ２に対応した１分間を基準として、その基準となる１分間の直前のＲ１（分）および直後のＲ２（分）を含む、合計Ｒ（分）のシーンを抽出する。このような処理を、必要とする再生時間を超えない範囲で、繰り返し行うことによって、ダイジェスト再生のためのシーンを抽出するというものである。
【０１４２】
以下、グラフＧのように盛り上がり度が推移した、録画時間が３０分である録画番組から、ダイジェスト再生のためのシーンを、１５分を超えないように抽出する場合を例に挙げて、本方法について具体的に説明する。なお、以下の説明において、標準抽出時間Ｒは５分に、Ｒ１は３分に、Ｒ２は１分に予め設定されているものとする。
【０１４３】
先ず、盛り上がり度の推移に基づいて、盛り上がり度の最も高いポイントｐ１を特定し、そのポイントｐ１の番組開始からの経過時間Ｔ１を求める。このとき、盛り上がり度の最も高いポイントが複数存在する場合には、番組開始からの経過時間が小さいポイントを特定する。本例の場合には、Ｔ１＝２０となる。
【０１４４】
そして、抽出するシーンの時間範囲Ａ１を、式（１）に基づいて算出する。
Ａ１＝［ｍａｘ（Ｔ１−Ｒ１，０），ｍｉｎ（Ｔ１＋Ｒ２，Ｋ）］    …（１）
ここで、Ｋは、録画時間（単位：分）であり、本例ではＫ＝３０である。また、ｍａｘ（ａ，ｂ）は、ａとｂのうち大きい方の値（ただし、ａ＝ｂの場合はａ）を示し、ｍｉｎ（ａ，ｂ）は、ａとｂのうち小さい方の値（ただし、ａ＝ｂの場合はａ）を示し、［ａ，ｂ］は、ａ以上ｂ以下の範囲を示しているものとする。本例の場合には、Ａ１＝［１７，２１］となる。
【０１４５】
そして、ｌｅｎ（Ａ１）とＭとを比較する。ここで、Ｍは、最大抽出可能時間（単位：分）であり、本例ではＭ＝１５である。また、ｌｅｎ（Ｘ）は、時間範囲Ｘの時間の長さを示しているものとする。
【０１４６】
比較の結果、Ｍ＞ｌｅｎ（Ａ１）であれば、抽出するシーンをさらに追加するための演算を実行し、Ｍ≦ｌｅｎ（Ａ１）であれば、シーンの抽出を終了する。このとき、Ｍ＝ｌｅｎ（Ａ１）であれば、時間範囲Ａ１をダイジェスト再生範囲Ｄとし、Ｍ＜ｌｅｎ（Ａ１）であれば、ダイジェスト再生のためのシーンは抽出されない。本例の場合には、ｌｅｎ（Ａ１）＝５であるため、抽出するシーンをさらに追加するための演算が実行される。
【０１４７】
次に、録画番組の時間範囲［１，Ｎ］から、時間範囲Ａ１を除いた範囲の中で、盛り上がり度の最も高いポイントｐ２を特定し、そのポイントｐ２の番組開始からの経過時間Ｔ２を求める。このとき、盛り上がり度の最も高いポイントが複数存在する場合には、前記と同様、番組開始からの経過時間が小さいポイントを特定する。本例の場合には、Ｔ２＝２２となる。
【０１４８】
そして、抽出するシーンの時間範囲Ａ２を、式（２）に基づいて算出する。
Ａ２＝［ｍａｘ（Ｔ２−Ｒ１，０），ｍｉｎ（Ｔ２＋Ｒ２，Ｎ）］    …（２）
本例の場合には、Ａ２＝［１９，２３］となる。
【０１４９】
そして、ｌｅｎ（ＯＲ（Ａ１，Ａ２））とＭとを比較する。ここで、ＯＲ（Ｘ１，Ｘ２）は、時間範囲Ｘ１または時間範囲Ｘ２を満足する時間範囲を示しているものとする。
【０１５０】
比較の結果、Ｍ＞ｌｅｎ（ＯＲ（Ａ１，Ａ２））であれば、抽出するシーンをさらに追加するための演算を実行し、Ｍ≦ｌｅｎ（ＯＲ（Ａ１，Ａ２））であれば、シーンの抽出を終了する。このとき、Ｍ＝ｌｅｎ（ＯＲ（Ａ１，Ａ２））であれば、時間範囲ＯＲ（Ａ１，Ａ２）をダイジェスト再生範囲Ｄとし、Ｍ＜ｌｅｎ（ＯＲ（Ａ１，Ａ２））であれば、時間範囲Ａ２を追加せずに、時間範囲Ａ１をダイジェスト再生範囲Ｄとする。本例の場合には、ｌｅｎ（ＯＲ（Ａ１，Ａ２））＝７であるため、抽出するシーンをさらに追加するための演算が実行される。
【０１５１】
次に、録画番組の時間範囲［１，Ｎ］から、時間範囲ＯＲ（Ａ１，Ａ２）を除いた範囲の中で、盛り上がり度の最も高いポイントｐ３を特定し、そのポイントｐ３の番組開始からの経過時間Ｔ３を求める。本例の場合には、Ｔ３＝９となる。
【０１５２】
そして、抽出するシーンの時間範囲Ａ３を、式（３）に基づいて算出する。
Ａ３＝［ｍａｘ（Ｔ３−Ｒ１，０），ｍｉｎ（Ｔ３＋Ｒ２，Ｎ）］    …（３）
本例の場合には、Ａ３＝［６，１０］となる。
【０１５３】
そして、ｌｅｎ（ＯＲ（Ａ１，Ａ２，Ａ３））とＭとを比較する。比較の結果、Ｍ＞ｌｅｎ（ＯＲ（Ａ１，Ａ２，Ａ３））であれば、抽出するシーンをさらに追加するための演算を実行し、Ｍ≦ｌｅｎ（ＯＲ（Ａ１，Ａ２，Ａ３））であれば、シーンの抽出を終了する。このとき、Ｍ＝ｌｅｎ（ＯＲ（Ａ１，Ａ２，Ａ３））であれば、時間範囲ＯＲ（Ａ１，Ａ２，Ａ３）をダイジェスト再生範囲Ｄとし、Ｍ＜ｌｅｎ（ＯＲ（Ａ１，Ａ２，Ａ３））であれば、時間範囲Ａ３を追加せずに、時間範囲ＯＲ（Ａ１，Ａ２）をダイジェスト再生範囲Ｄとする。本例の場合には、ｌｅｎ（ＯＲ（Ａ１，Ａ２，Ａ３））＝１２であるため、抽出するシーンをさらに追加するための演算が実行される。
【０１５４】
上記のような演算を繰返すことによって、ダイジェスト再生のためのシーンに相当するダイジェスト再生範囲Ｄが求められる。本例の場合には、時間範囲ＯＲ（Ａ１，Ａ２，Ａ３）がダイジェスト再生範囲Ｄとして算出され、ダイジェスト再生時間は、１２分となる。
【０１５５】
このような方法によれば、標準抽出時間Ｒを事前に適切な値に設定しておくことで、盛り上がり度に基づいてシーンを抽出する際に、番組内容を把握するのに不十分な非常に短時間のシーン（標準抽出時間Ｒ未満のシーン）が抽出されることを防止することができる。換言すれば、短時間のシーンが細切れでダイジェスト再生されることを防止することができる。たとえば、Ｒ＝５に設定しておくと、１つのシーンの長さを５分以上とすることができる。
【０１５６】
また、本実施形態のように、ミニブログサービスにおけるメッセージの投稿数に基づいて導出された盛り上がり度を、ダイジェスト再生用のシーン抽出に用いる場合には、上記の例のように、Ｒ１＞Ｒ２という関係を満たすように、Ｒ１，Ｒ２を設定しておくのが好ましい。
【０１５７】
その理由としては、放送中のテレビ番組を見ながらその番組内容に対して何かを投稿する際の文字入力に要する時間などを考慮すると、メッセージの投稿時刻（タイムスタンプ）は、実際の盛り上がりポイントの時刻よりも少し後の時刻になるものと考えられるためである。また、盛り上がり度のピークの位置から視聴を開始したのでは、どのような流れで何が盛り上がっているのかを容易に把握することができないおそれがあるので、このような観点からも、Ｒ１の方を大きくしておくのが好ましい。なお、これらＲ，Ｒ１，Ｒ２は、デフォルト値として与えられてもよく、あるいはユーザによって適宜設定されてもよい。
【０１５８】
上述した実施形態では、リモコンプログラム２６は、フラッシュメモリなどによって実現される記憶部１８に記憶されているが、半導体メモリおよびハードディスクなどの記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【０１５９】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【０１６０】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（I ntegrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）／フラッシュＲＯＭなどの半導体メモリを含む固定的にプログラムを担持する記録媒体であってもよい。
【０１６１】
図２２は、本発明の一実施形態に係るレコーダ１Ａを含んだシステム全体の構成の一例を概略的に示す概略構成図である。前述の実施形態では、レコーダ１を遠隔操作するための遠隔操作装置として機能する携帯端末装置１０によって、レコーダ１に録画された録画番組をダイジェスト再生させるための処理が実行されていたが、本実施形態では、前述の実施形態において携帯端末装置１０において実行されていた処理を、レコーダ１Ａにおいて実行するようにしたものである。したがって、本実施形態に係るレコーダ１Ａと前述の実施形態に係るレコーダ１とは、基本的な構成については同一であるため、同一の構成については同一の参照符を付して、重複する説明を省略する。また、サーバ装置５０の構成についても、前述の実施形態と本実施形態とでは同一であるため、説明を省略する。
【０１６２】
図２３は、本発明の一実施形態に係るレコーダ１Ａにおいて、制御部８８がダイジェスト再生プログラム８９を実行することによって実現される各種の機能を示す機能ブロック図である。
【０１６３】
制御部８８は、半導体メモリ８７に記憶されるダイジェスト再生プログラム８９を実行することによって、画面生成部３２、録画番組データ取得部３３、ダイジェスト再生時間取得部３４、盛り上がりデータ取得部３５、プレイリスト生成部３６、キーワード取得部３７、ダイジェスト再生処理部９２として機能する。なお、これら各部３２〜３７，９２の機能は、前述の実施形態において、同一の参照符が付された各部による機能と略同一であるものとし、以下では、機能の異なる部分を中心に説明する。なお、レコーダ１Ａに対する指令の入力は、レコーダ１Ａに付属の専用リモコンを用いて行われるものとする。
【０１６４】
画面生成部３２は、半導体メモリ８７に記憶される録画番組リスト９０を参照して、録画番組リスト画面Ｒ１の画像データを生成し、生成した画像データをＴＶ受像機２へ出力する。ＴＶ受像機２では、画面生成部３２から録画番組リスト画面Ｒ１の画像データが入力されると、図１５に示すような録画番組リスト画面Ｒ１を表示させる。
【０１６５】
ユーザは、録画番組リスト画面Ｒ１がＴＶ受像機２に画面表示されると、専用リモコンを操作することによって、チェックボックスｒ１２にチェックマークｒ１５を付し、また「戻る」ボタンｒ１３や「ダイジェスト再生」ボタンｒ１４を選択する。同様に、視聴時間設定画面Ｒ２や再生パターン選択画面Ｒ３においても、専用リモコンを操作することによって各ボタンが選択される。
【０１６６】
また、盛り上がりデータ取得部３５およびキーワード取得部３７は、通信部８１を制御し、盛り上がり度要求信号，キーワード要求信号を、インターネット３を介して、サーバ装置５０に対して送信させる。
【０１６７】
本実施形態では、再生パターン選択画面Ｒ３がＴＶ受像機２に画面表示されている状態で、ユーザによって３つの再生パターンのうちの１つの再生パターンの「実行」ボタンｒ３４が選択されると、ダイジェスト再生処理部９２は、選択された再生パターンのプレイリスト４０に基づいて、ユーザによって選択された録画番組のコンテンツデータを編集してダイジェストデータを作成し、作成したダイジェストデータを、デコーダ８４、映像出力部８５、音声出力部８６を介してＴＶ受像機２に出力させる。これにより、ＴＶ受像機２には、ユーザによって選択された録画番組がダイジェスト再生される。
【０１６８】
以上のように、本実施形態は、前述の実施形態において携帯端末装置１０において実行されていた処理を、レコーダ１Ａにおいて行うように構成した点において、前述の実施形態と異なるだけであり、前述の実施形態と同様の効果を奏することができる。
【符号の説明】
【０１６９】
１  レコーダ
２  ＴＶ受像機
３  インターネット
４  ミニブログサーバ装置
１０  携帯端末装置
３１  録画番組リスト取得部
３２  画面生成部
３３  録画番組データ取得部
３４  ダイジェスト再生時間取得部
３５  盛り上がりデータ取得部
３６  プレイリスト生成部
３７  キーワード取得部
３８  再生指示部
４０  プレイリスト
９０  録画番組リスト
【図１】
2014035783.tif 000003
【図２】
2014035783.tif 000004
【図３】
2014035783.tif 000005
【図４】
2014035783.tif 000006
【図５】
2014035783.tif 000007
【図６】
2014035783.tif 000008
【図７】
2014035783.tif 000009
【図８】
2014035783.tif 000010
【図９】
2014035783.tif 000011
【図１０】
2014035783.tif 000012
【図１１】
2014035783.tif 000013
【図１２】
2014035783.tif 000014
【図１３】
2014035783.tif 000015
【図１４】
2014035783.tif 000016
【図１５】
2014035783.tif 000017
【図１６】
2014035783.tif 000018
【図１７】
2014035783.tif 000019
【図１８】
2014035783.tif 000020
【図１９】
2014035783.tif 000021
【図２０】
2014035783.tif 000022
【図２１】
2014035783.tif 000023
【図２２】
2014035783.tif 000024
【図２３】
2014035783.tif 000025